(57)【要約】【課題】容易に分解組み立てが可能であり、針刺し表面を形成する布やクッション材の交換を容易に行える針刺しを提供する。【解決手段】底壁部およびこの底壁部の周部から立ち上がる環状の側壁部をもち、上部に開口部を有する内容器１０と、内容器１０に収容された、弾性収縮可能なクッション材２０と、クッション材２０の上記開口部から上方に盛り上がる部分を覆い、裾部が内容器１０の側壁部に沿わされた可撓性のシート材３０と、シート材３０の上記裾部を挟んで内容器１０の側壁部に嵌められた弾性リング部材４０と、内容器１０の側壁部の外側に、内面が弾性リング材に接触するように嵌められた筒状の外カバー５０と、を備える。【選択図】  図１
2016216844.tif 000002
【特許請求の範囲】
【請求項１】
底壁部およびこの底壁部の周部から立ち上がる環状の側壁部をもち、上部に開口部を有する内容器と、
上記内容器に収容された、弾性収縮可能なクッション材と、
上記クッション材の上記内容器の上記開口部から上方に盛り上がる部分を覆い、裾部が上記内容器の上記側壁部に沿わされた可撓性のシート材と、
上記シート材の上記裾部を挟んで上記内容器の上記側壁部に嵌められた弾性リング部材と、
上記内容器の上記側壁部の外側に、内面が上記弾性リング材に接触するように嵌められた筒状の外カバーと、
を備えることを特徴とする、針刺し。
【請求項２】
上記内容器の上記側壁部の外周には、上記弾性リング部材が嵌まり込む環状溝が形成されている、請求項１に記載の針刺し。
【請求項３】
上記クッション材は、綿、羊毛、スポンジから選択されたものである、請求項１または２に記載の針刺し。
【請求項４】
上記シート材は、布である、請求項１ないし３のいずれかに記載の針刺し。
【請求項５】
上記弾性リング材は、ゴム製である、請求項１ないし４のいずれかに記載の針刺し。
【請求項６】
上記内容器の上記側壁部は、円筒状をしている、請求項１ないし５のいずれかに記載の針刺し。
【発明の詳細な説明】
【技術分野】
【０００１】
本発明は、針刺しに関する。
【背景技術】
【０００２】
たとえば特許文献１に示されているように、針刺しは、綿や羊毛、あるいはスポンジなどのクッション材を弾性収縮させつつ布でくるむことにより、丸みを帯びた柔らかい針刺し面を形成した基本構成をもち、針刺し面に手芸用の針を突き刺してこの針を保持しておくために使用される。
【０００３】
特許文献１に示された針刺しは、クッション材をくるんだ布の裾部分にリングを嵌め込むことにより針刺し表面の形状を整え、かつ、上記したリングが上下方向に抜け落ちしないように、当該リングの上側および下側に重ねて固定用の補助リングを嵌め込んでいる。上側のリングは、下端を底板に糊付けした糸で下方に引っ張ることにより上下位置が固定され、下側の補助リングは底板の周部に糊付けして上下位置が固定されている。
【０００４】
特許文献１に示された針刺しの構成では、容易に分解することができないので、手芸用の針がクッション材の内部に埋もれるように入り込んだ場合、その針を取り出すことが困難であった。また、針刺し表面を形成する布を、好みの色や絵柄の布に交換して楽しむといったことも困難であった。
【０００５】
【特許文献１】米国特許第3344967号明細書
【発明の概要】
【発明が解決しようとする課題】
【０００６】
本発明は、上記した事情のもとで考え出されたものであって、容易に分解組み立てが可能であり、針刺し面を形成する布やクッション材の交換を容易に行える針刺しを提供することをその課題とする。
【課題を解決するための手段】
【０００７】
上記した課題を解決するため、本発明では、次の技術的手段を採用した。
【０００８】
本発明によって提供される針刺しは、底壁部およびこの底壁部の周部から立ち上がる環状の側壁部をもち、上部に開口部を有する内容器と、上記内容器に収容された、弾性収縮可能なクッション材と、上記クッション材の上記内容器の上記開口部から上方に盛り上がる部分を覆い、裾部が上記内容器の上記側壁部に沿わされた可撓性のシート材と、上記シート材の上記裾部を挟んで上記内容器の上記側壁部に嵌められた弾性リング部材と、上記内容器の上記側壁部の外側に、内面が上記弾性リング材に接触するように嵌められた筒状の外カバーと、を備えることを特徴とする。
【０００９】
好ましい実施の形態では、上記内容器の上記側壁部の外周には、上記弾性リング部材が嵌まり込む環状溝が形成されている。
【００１０】
好ましい実施の形態では、上記クッション材は、綿、羊毛、スポンジから選択されたものである。
【００１１】
好ましい実施の形態では、上記シート材は、布である。
【００１２】
好ましい実施の形態では、上記弾性リング材は、ゴム製である。
【００１３】
好ましい実施の形態では、上記内容器の上記側壁部は、円筒状をしている。
【００１４】
上記可撓性のシート材は、クッション材を弾性的に収縮させながら覆い、丸みを帯びた針刺し面を形成する。そして、当該シート材の裾部は、上記弾性リング部材によって内容器の側壁部の外面に弾性的に押しつけられて固定される。外カバーは、その内面が弾性リング部材に接触することにより、当該弾性リング部材との間に生じる摩擦力によって内容器に対する嵌合状態が維持される。
【００１５】
上記外カバーは、弾性リング部材との接触によって内容器に対する嵌合状態が維持されるだけであるから、当該外カバーの取り外しを容易に行える。シート材の裾部を固定するための上記弾性リング部材も容易に取り外すことができる。弾性リング部材を取り外せば、シート材も内容器およびクッション材から分離できる。すなわち、上記構成の針刺しによれば、分解、組み立てを特別な工具や接合手段を用いることなく容易に行える。したがって、針刺し面の内部に手芸用の針が埋まるように入り込んだ場合には、この針刺しを分解することによって上記のように入り込んだ針を取り除くことができる。また、シート材を、好みの材質、色、絵柄のものに容易に交換することができ、また、クッション材も、好みの材質のものに交換することができる。
【００１６】
本発明のその他の特徴および利点は、図面を参照して以下に行う詳細な説明から、より明らかになろう。
【図面の簡単な説明】
【００１７】
【図１】本発明の一実施形態に係る針刺しの縦断面図である。
【図２】図１に示した針刺しの組み立て方法の説明図である。
【図３】図１に示した針刺しの組み立て方法の説明図である。
【図４】図１に示した針刺しの組み立て方法の説明図である。
【発明を実施するための形態】
【００１８】
以下、本発明の好ましい実施の形態につき、図面を参照して具体的に説明する。
【００１９】
図１ないし図４は、本発明の一実施形態に係る針刺しＡを示す。この針刺しＡは、内容器１０と、クッション材２０と、シート材３０と、弾性リング部材４０と、外カバー５０とを有する。
【００２０】
内容器１０は、上に開放した有底円筒状をしている。すなわち、この内容器１０は、円形の底壁部１１と、この底壁部１１の周部から立ち上がる略円筒状の側壁部１２とを備え、たとえば樹脂成形により形成される。本実施形態において側壁部１２は、上部１２ａがラッパ状に拡径しており、その上端が当該内容器１０の開口部１３となっている。側壁部１２の外周には、底壁部１１につながる第１の外向フランジ１４と、上下方向中間部における第２の外向フランジ１５と、上端寄りの第３の外向フランジ１６とが一体に形成されている。各外向フランジ１４，１５，１６の最外周位置は、一致している。第１の外向フランジ１４と第２の外向フランジ１５により、第１の環状溝１７が、第２の外向フランジ１５と第３の外向フランジ１６により、第２の環状溝１８が、それぞれ形成されている。
【００２１】
クッション材２０は、たとえば、綿、羊毛、スポンジなどが選択され、適当な量のものが内容器１０に入れられる。綿は、木綿、羊毛綿、合繊綿あるいはこれに類するいずれの綿であってもよい。羊毛は、綿状態のものほか、毛糸クズをまとめたものであってもよい。スポンジは、好ましくは、内容器１０内にすっぽりと入るように成形し、かつ上部は丸みを帯びた形状に成形しておくのがよい。なお、後述するが、このクッション材２０は、シート材３０で覆って針刺し面３０ａを形成する際に、ある程度弾性圧縮させられることを見越してその量や大きさを選択する。
【００２２】
シート材３０は、たとえば、所定の厚みの布など、可撓性と、ある程度の伸縮性とをもち、かつ、手芸用の針が突き抜けることが可能な材質のものが選ばれ、布に限られない。また、このシート材３０は、市販の布等に限られず、パッチワークや刺繍を施した手芸作品を用いることも可能であるし、さらには、布に限られず、ニット作品を利用してもよい。
【００２３】
弾性リング部材４０は、たとえばシリコーンゴム製のリングであり、上記第２の環状溝１８にぴったりと嵌まり込むことができる円形断面をもち、第２の環状溝１８に弾性的に嵌まり込むことができる内径をもつ。本実施形態において、第２の環状溝１８は、その上下幅寸法Ｗよりも深さ寸法ｄが小であるので（図２参照）、この第２の環状溝１８に嵌まり込んだ弾性リング部材４０の外周部が第２の環状溝１８を構成する第２、第３の外向フランジ１５，１６の外周よりもさらに外方に露出させられている（図１、図４参照）。
【００２４】
外カバー５０は、上下にわたってほぼ同一内径、同一外径を有するとともに上記内容器１０の上下寸法と略同一の上下寸法を有する上下に開放した円筒状をしており、たとえば樹脂成形により形成される。この外カバー５０は、その上端が内向きに曲げられてその内径が縮径させられ、この縮径部５１の内周と、内容器１０の上端外周との間に所定の隙間Ｓ１が形成されている。またこの外カバー５０の一般部の内面は、内容器１０の上記第１、第２および第３の外向フランジ１４，１５，１６の外周よりも大の内径としてあり、各外向フランジ１４，１５，１６の外周との間に所定の隙間Ｓ２が形成されている。また、この外カバー５０の一般部の内面は、上記第２の環状溝１８に嵌まり込んだ弾性リング部材４０をやや圧縮変形させながらこれに接触しうる内径としてある。
【００２５】
次に、この針刺しの組み立て方法、分解方法および作用について、説明する。
【００２６】
まず、図２に示すように、内容器１０の内部に所定量のクッション材２０を入れ、次に図３に示すように、このクッション材２０をくるむように上から布などのシート材３０を被せてクッション材２０を弾性的に押し縮めつつこのシート材３０の裾部３１を内容器１０の側壁部１２の外側に沿わせ、次に図４に示すように、裾部３１の外側から第２の環状溝１８に弾性リング部材４０を嵌め込んでシート材３０の裾部３１を留める。シート材３０の裾部３１は、屈曲しながら弾性リング部材４０によって第２の環状溝１８の内壁に押しつけられるので、シート材３０と弾性リング部材４０との間、および、シート材３０と第２の環状溝１８の内面との間に生じる摩擦力により、しっかりと留められる。このとき、シート材３０の裾部３１のうち、第２の環状溝１８より下方に余った部分は、ハサミなどで切り取る。
【００２７】
上記のようにして形成されるシート材３０の丸みを帯びた表面が針刺し面３０ａを成形する。クッション材２０の量は、上記のように弾性的に押し縮められた状態で、針刺し面３０ａが適度な大きさで内容器１０の開口部１３から膨出するように設定する。なお、針刺し面３０ａの膨出量は、上記のようにシート材３０の裾部３１の外側から弾性リング部材４０を嵌め込んだ状態で、裾部３１を適度に下方に引っ張ることにより調整することができる。本実施形態では、内容器１０の側壁部１２の上部１２ａがラッパ状に拡径しているので、この拡径部により案内されることにより、クッション材２０をスムースに内容器１０に入れることができる。
【００２８】
次いで、外カバー５０を内容器１０の外側に、下端位置が内容器１０の下端位置と一致するように嵌め込んで図１に示す針刺しＡが完成する。このとき、外カバー５０の内面は弾性リング部材４０にこの弾性リング部材４０をやや圧縮変形させながら接触するので、弾性リング部材４０と外カバー５０の内面との間の摩擦力により、外カバー５０は内容器１０に対して不用意に上下にずれ動くといったことがなく、内容器１０に嵌め込まれた状態が安定的に維持される。この外カバー５０は、上下寸法が内容器１０の上下寸法と略一致しているので、組み立て状態において、内容器１０の側壁部１２、シート材３０の裾部３１および弾性リング部材４０を都合良く覆い隠すことができる。
【００２９】
この針刺しＡの分解は、上記した組み立て方法とは逆に、外カバー５０を上方に向けて動かすことにより内容器１０から取り除き、弾性リング部材４０を第２の環状溝１８から外し、シート材３０を取り除けばよい。外カバー５０は、弾性リング部材４０との間の摩擦力によって嵌め込み状態が維持されているだけであるので、この摩擦力に打ち勝つ力で容易に取り外すことができる。弾性リング部材４０は、それ自体弾性的に伸長および変形可能であるので、容易に第２の環状溝１８から取り外すことができる。
【００３０】
上記したように、この針刺しＡは、容易に分解、組み立てが可能であるので、たとえば、針刺し面３０ａの内部に手芸用の針が埋没するように入り込んだような場合であっても、分解することによりこれを取り除くことができる。
【００３１】
また、シート材３０を好みの色、絵柄、材質のもの、あるいはパッチワークや刺繍を施した手芸作品的な要素をもつものなどに容易に交換して楽しむことができ、また、クッション材２０の材質や量を変更して、内容器１０の開口から膨出する丸みを帯びた針刺し面３０ａの大きさ（膨出量）や、弾性的な硬さを好みのものに変更することも容易にできる。
【００３２】
なお、本実施形態では、内容器１０の側壁部１２に、弾性リング部材４０を嵌め込むための第２の環状溝１８の下方に第１の環状溝１７を設けているが、上記したように、シート材３０として手芸作品的な要素をもつものを用いるとともに、この第１の環状溝１７を利用して、この第１の環状溝１７に巻き付けるようにして飾りリボン（図示略）やフリル（図示略）などを取付け、針刺しＡ自体を手芸作品として楽しむといったことも可能である。
【００３３】
もちろん、この発明の範囲は上述した実施形態に限定されるものではなく、各請求項に記載した事項の範囲内でのあらゆる変更は、すべて本発明の範囲に含まれる。
【００３４】
たとえば、実施形態では、内容器１０および外カバー５０は、平面視円形であるが、こうした平面視形態は、円形に限られず、楕円形や、頂点がラウンドした多角形等、どのような平面形態であってもよい。
【符号の説明】
【００３５】
Ａ  針刺し
１０    内容器
１１    底板部
１２    側壁部
１３    開口部
１４    第１の外向フランジ
１５    第２の外向フランジ
１６    第３の外向フランジ
１７    第１の環状溝
１８    第２の環状溝
２０    クッション材
３０    シート材
３０ａ  針刺し面
３１    裾部
４０    弾性リング材
５０    外カバー
５１    縮径部
【図１】
2016216844.tif 000003
【図２】
2016216844.tif 000004
【図３】
2016216844.tif 000005
【図４】
2016216844.tif 000006